(57)【要約】      （修正有）【課題】既存の蛍光灯用点灯回路を含む蛍光灯用の照明器具に対して、蛍光灯をＬＥＤ灯に交換するための工事を容易にする。【解決手段】ＬＥＤ灯交換工事の施工方法は、ソケット２の４つの端子部２１〜２４の少なくとも２つに、ＬＥＤ用点灯回路４を接続する工程と、蛍光灯用点灯回路のうち、商用電源８が接続される電源端子７とソケット２の４つの端子部の少なくとも２つとの間に接続される部分を切り離す工程と、４つの端子を有するＬＥＤ灯３をソケット２に取り付ける工程とを有する。ＬＥＤ灯３は、２つの端子に接続された第１ダイオードブリッジと、他の２つの端子に接続された第２ダイオードブリッジと、第１ダイオードブリッジ及び第２ダイオードブリッジのプラス極とマイナス極の出力端子の間に接続されたＬＥＤ素子とを備える。【選択図】図２
2019145430.tif 000002
【特許請求の範囲】
【請求項１】
蛍光灯用器具において、蛍光灯の代わりにＬＥＤ灯を取り付けるＬＥＤ灯交換工事の施工方法であって、
前記蛍光灯用器具は、前記蛍光灯の４つの端子が取り付けられる４つの端子部を含むソケットと、前記ソケットの前記４つの端子部の少なくとも２つに電気的に接続された蛍光灯用点灯回路と、外部の商用電源が接続される電源端子とを備え、
前記施工方法は、前記商用電源が接続される電源端子と前記ソケットの４つの端子部の少なくとも２つとの間に、前記商用電源から供給される交流電力を直流に変換して供給するＡＣ／ＤＣ変換器を含むＬＥＤ用点灯回路を接続する工程と、
前記蛍光灯用点灯回路のうち、前記商用電源が接続される電源端子と前記ソケットの４つの端子部の少なくとも２つとの間に接続される部分を、前記ソケット及び前記電源端子から電気的に切り離す工程と、
前記ソケットの前記４つの端子部に取り付け可能な４つの端子を有する前記ＬＥＤ灯を取り付ける工程とを有し、
前記ＬＥＤ灯は、前記ＬＥＤ灯の４つの端子のうち２つの端子に接続された第１ダイオードブリッジと、前記４つの端子のうち他の２つの端子に接続された第２ダイオードブリッジと、前記第１ダイオードブリッジ及び前記第２ダイオードブリッジのプラス極の出力端子とマイナス極の出力端子の間に接続されたＬＥＤ素子とを備える、ＬＥＤ灯交換工事の施工方法。
【請求項２】
蛍光灯用器具において、蛍光灯の代わりにＬＥＤ灯を取り付けるＬＥＤ灯交換工事の施工方法であって、
前記蛍光灯用器具は、前記蛍光灯の４つの端子が取り付けられる４つの端子部を含むソケットと、前記ソケットの前記４つの端子部の少なくとも２つに電気的に接続された蛍光灯用点灯回路と、外部の商用電源が接続される電源端子とを備え、
前記蛍光灯用点灯回路のうち、前記商用電源が接続される電源端子と、前記ソケットの４つの端子部の少なくとも２つとの間に接続される部分を、前記ソケット及び前記電源端子から電気的に切り離す工程と、
前記ソケットの４つの端子部の少なくとも２つに、前記商用電源から供給される交流電力が入力される線を接続する工程と、
前記ソケットの前記４つの端子部に取り付け可能な４つの端子を有する前記ＬＥＤ灯を取り付ける工程とを有し、
前記ＬＥＤ灯は、前記ＬＥＤ灯の４つの端子のうち２つの端子に接続された第１ダイオードブリッジと、前記４つの端子のうち他の２つの端子に接続された第２ダイオードブリッジと、前記第１ダイオードブリッジ及び前記第２ダイオードブリッジのプラス極の出力端子とマイナス極の出力端子の間に接続されたＬＥＤ素子とを備える、ＬＥＤ灯交換工事の施工方法。
【請求項３】
前記蛍光灯用点灯回路のうち、前記ソケットの４つの端子部のうち２つの間の部分であって、前記商用電源が接続される電源端子と前記ソケットとの間に位置しない部分の配線は、切断せずに残しておく、請求項１又は２に記載のＬＥＤ灯交換工事の施工方法。
【請求項４】
前記蛍光灯用点灯回路のうち、前記ソケットの４つの端子部のうち２つの間の部分であって、前記商用電源が接続される電源端子と前記ソケットとの間に位置しない部分は、前記ソケットの４つの端子部のうち２つの間に接続されるグローランプ回路又は電子スタータ回路である、請求項３に記載のＬＥＤ灯交換工事の施工方法。
【請求項５】
前記蛍光灯用器具は、複数の蛍光灯をそれぞれ取り付けるための複数のソケットを有し、
前記蛍光灯用点灯回路は、複数の蛍光灯を点灯するための前記複数のソケットに共通の蛍光灯用点灯回路を含み、
前記蛍光灯用点灯回路のうち、前記商用電源が接続される電源端子と前記ソケットの４つの端子部の少なくとも２つとの間に接続される部分を、前記ソケット及び前記電源端子から電気的に切り離す工程において、前記複数のソケットに共通の蛍光灯用点灯回路を、前記ソケット及び前記電源端子から電気的に切り離す、請求項１〜４のいずれか１項に記載のＬＥＤ灯交換工事の施工方法。
【請求項６】
前記ＬＥＤ灯は、前記第１ダイオードブリッジ及び前記第２ダイオーブリッジと、前記ＬＥＤ素子との間に接続される第３ダイオードブリッジをさらに備える、請求項２に記載のＬＥＤ灯交換工事の施工方法。
【発明の詳細な説明】
【技術分野】
【０００１】
本発明は、蛍光灯用照明器具において、蛍光灯の代わりにＬＥＤ灯を取り付けるＬＥＤ灯の交換工事の施工方法に関する。
【背景技術】
【０００２】
近年、ＬＥＤ（Light Emitting Diode）素子を用いた照明器具の普及が進んでいる。これに伴い、既存の蛍光灯用照明器具の蛍光灯をＬＥＤ灯に交換する工事が行われるようになっている。例えば、特開２０１２−０７４２９８号公報（特許文献１）では、グロースタータ方式の蛍光灯用器具において、既存の直管型蛍光灯を、一端側に給電側口金、他端側に内部短絡された短絡側口金を備えるＬＥＤ蛍光灯と交換し、さらに既存のグロー管をＬＥＤ用点灯管と交換する交換方法が開示されている。
【先行技術文献】
【特許文献】
【０００３】
【特許文献１】特開２０１２−０７４２９８号公報
【発明の概要】
【発明が解決しようとする課題】
【０００４】
上記特許文献１に記載の交換方法は、一般消費者でも、容易に交換できるようにするものであり、器具を改造する工事を伴わないことを前提としている。そのため、上記特許文献１に記載の交換方法は、グロー管を有しない器具には適用できない。また、この交換方法においても、既存のグロー管をＬＥＤ用点灯用管と交換する必要がある。
【０００５】
本発明は、既存の蛍光灯用点灯回路を含む蛍光灯用の照明器具に対して、蛍光灯をＬＥＤ灯に交換するための工事を容易にすることができるＬＥＤ交換工事の施工方法を提供することを目的とする。
【課題を解決するための手段】
【０００６】
本発明の１つの観点による施工方法は、蛍光灯用器具において、蛍光灯の代わりにＬＥＤ灯を取り付けるＬＥＤ灯交換工事の施工方法である。前記蛍光灯用器具は、前記蛍光灯の４つの端子が取り付けられる４つの端子部を含むソケットと、前記ソケットの前記４つの端子部の少なくとも２つに電気的に接続された蛍光灯用点灯回路、外部の商用電源が接続される電源端子とを備える。前記施工方法は、前記ソケットの４つの端子部の少なくとも２つと前記商用電源が接続される電源端子との間に、前記商用電源から供給される交流電力を直流に変換して供給するＡＣ／ＤＣ変換器を含むＬＥＤ用点灯回路を接続する工程と、前記蛍光灯用点灯回路のうち、前記ソケットの４つの端子部の少なくとも２つと前記商用電源が接続される電源端子との間に接続される部分を、前記ソケット及び前記電源端子から電気的に切り離す工程と、前記ソケットの前記４つの端子部に取り付け可能な４つの端子を有する前記ＬＥＤ灯を取り付ける工程とを有する。前記ＬＥＤ灯は、前記ＬＥＤ灯の４つの端子のうち２つの端子に接続された第１ダイオードブリッジと、前記４つの端子のうち他の２つの端子に接続された第２ダイオードブリッジと、前記第１ダイオードブリッジ及び前記第２ダイオードブリッジのプラス極の出力端子とマイナス極の出力端子の間に接続されたＬＥＤ素子とを備える。
【０００７】
上記施工方法によれば、ソケットの４つの端子部のうち少なくとも２つと電源端子との間の蛍光灯用点灯回路は切断され、ソケットの４つの端子部のうち少なくとも２つにＬＥＤ用点灯回路が接続される。これにより、ＬＥＤ灯が取り付けられるソケットの４つの端子部のうち少なくとも２つに直流電力が供給される構成となる。なお、切断される蛍光灯用点灯回路が接続されていたソケットの少なくとも２つの端子部と、ＬＥＤ用点灯回路が接続される少なくとも２つの端子部は、同じであってもよいし、異なっていてもよい。ソケットの４つの端子部には、ＬＥＤ灯の４つの端子が取り付けられる。ここで、ＬＥＤ灯は、４つの端子のうち２つに接続された第１ダイオードブリッジと、他の２つに接続された第２ダイオードブリッジと、これらの第１及び第２ダイオードブリッジのプラス極の出力端子とマイナス極の出力端子の間に接続されるＬＥＤ素子を備える。そのため、ＬＥＤ灯の４つの端子のうち任意の２つに直流電力のプラス極及びマイナス極を供給して、ＬＥＤ灯を正常に点灯させることができる。すなわち、作業者は、ＬＥＤ灯の４つの端子と、ＬＥＤ用点灯回路の直流出力の端子との組み合わせを考慮しなくてもよくなる。例えば、作業者は、ソケットの４つの端子部のうち、任意の２つにＬＥＤ用点灯回路をつなげることで、ＬＥＤ灯が点灯可能な構成を実現できる。
【０００８】
上記施工方法において、作業者は、商用電源が接続される電源端子とソケットの間の蛍光灯用点灯回路を、ＬＥＤ用点灯回路に置き換え、ＬＥＤ灯をソケットに取り付ける作業で、ＬＥＤ灯交換工事を施工できる。この際、作業者は、蛍光灯用点灯回路の構造の詳細、ＬＥＤ用点灯回路をソケットの４つの端子部のうちどれに接続するか、さらに、ＬＥＤ灯の４つの端子とソケットの４つの端子部との組み合わせを考慮しなくても済む。そのため、既存の点灯回路を含む蛍光灯用の照明器具に対して、蛍光灯をＬＥＤ灯に交換するための工事が容易になる。
【０００９】
本発明のもう１つの観点による施工方法は、蛍光灯用器具において、蛍光灯の代わりにＬＥＤ灯を取り付けるＬＥＤ灯交換工事の施工方法である。前記蛍光灯用器具は、前記蛍光灯の４つの端子が取り付けられる４つの端子部を含むソケットと、前記ソケットの前記４つの端子部の少なくとも２つに電気的に接続された蛍光灯用点灯回路と、外部の商用電源が接続される電源端子とを備える。前記施工方法は、前記蛍光灯用点灯回路のうち、前記ソケットの４つの端子部の少なくとも２つと前記商用電源が接続される電源端子との間に接続される部分を、前記ソケット及び前記電源端子から電気的に切り離す工程と、前記ソケットの４つの端子部の少なくとも２つに、前記商用電源から供給される交流電力が入力される線を接続する工程と、前記ソケットの前記４つの端子部に取り付け可能な４つの端子を有する前記ＬＥＤ灯を取り付ける工程とを有する。前記ＬＥＤ灯は、前記ＬＥＤ灯の４つの端子のうち２つの端子に接続された第１ダイオードブリッジと、前記４つの端子のうち他の２つの端子に接続された第２ダイオードブリッジと、前記第１ダイオードブリッジ及び前記第２ダイオードブリッジのプラス極の出力端子とマイナス極の出力端子の間に接続されたＬＥＤ素子とを備える。
【００１０】
上記施工方法によれば、ソケットの４つの端子部のうち少なくとも２つと電源端子との間の蛍光灯用点灯回路は切断され、ソケットの４つの端子部のうち少なくとも２つに商用電源の交流電力を供給する線が接続される。これにより、ＬＥＤ灯が取り付けられるソケットの４つの端子部のうち少なくとも２つに交流電力が供給される構成となる。なお、切断される蛍光灯用点灯回路が接続されていたソケットの少なくとも２つの端子部と、交流電力の線が接続される少なくとも２つの端子部は、同じであってもよいし、異なっていてもよい。ソケットの４つの端子部には、ＬＥＤ灯の４つの端子が取り付けられる。ここで、ＬＥＤ灯は、ＬＥＤ灯の４つの端子のうち２つの端子に接続された第１ダイオードブリッジと、４つの端子のうち他の２つの端子に接続された第２ダイオードブリッジと、第１ダイオードブリッジ及び第２ダイオードブリッジのプラス極の出力端子とマイナス極の出力端子の間に接続されたＬＥＤ素子とを備える。これにより、ＬＥＤ灯の４つの端子のうち一方端の２つに交流電力の線が接続され、且つ、他方端の２つには接続されない場合でもＬＥＤ灯を点灯できるし、一方端の２つの端子及び他方端の２つの端子の両方に交流電力の線が接続される場合でもＬＥＤ灯を点灯できる。そのため、作業者は、ＬＥＤ灯の４つの端子と、交流電力の線との組み合わせを厳密に考慮しなくてもよくなる。
【００１１】
上記施工方法において、作業者は、商用電源が接続される電源端子とソケットの間の蛍光灯用点灯回路を切断して、商用電源の交流電力が供給される線をソケットの端子部に接続し、ＬＥＤ灯をソケットに取り付ける作業で、ＬＥＤ灯交換工事を施工できる。この際、作業者は、蛍光灯用点灯回路の構造の詳細、商用電源の交流電力の線をソケットの４つの端子部のうちどれに接続するか、さらに、ＬＥＤ灯の４つの端子とソケットの４つの端子部との組み合わせを厳密に考慮しなくても済む。そのため、既存の点灯回路を含む蛍光灯用の照明器具に対して、蛍光灯をＬＥＤ灯に交換するための工事が容易になる。
【００１２】
上記のＬＥＤ交換工事の施工方法において、前記蛍光灯用点灯回路のうち、前記ソケットの４つの端子部のうち２つの間の部分であって、前記商用電源が接続される電源端子と前記ソケットとの間に位置しない部分の配線は、切断せずに残しておいてもよい。上記の施工方法によれば、この蛍光灯用点灯回路の部分を切断せずに残しておいても、ＬＥＤ灯は、正常に点灯する構成となる。これにより、蛍光灯用点灯回路の配線を切断する工程が少なくすることができる。そのため、工事がより容易になる。
【００１３】
前記蛍光灯用点灯回路のうち、前記ソケットの４つの端子部のうち２つの間の部分であって、前記商用電源が接続される電源端子と前記ソケットとの間に位置しない部分は、前記ソケットの４つの端子部のうち２つの間に接続されるグローランプ回路又は電子スタータ回路であってもよい。上記の施工方法によれば、グローランプ回路又は電子スタータ回路をソケットから切断せずにそのまま残しておいても、ＬＥＤ灯が正常に点灯する構成となる。そのため、グローランプ回路又は電子スタータ回路の配線を切断する工程が少なくすることができる。そのため、工事がより容易になる。
【００１４】
前記蛍光灯用器具は、複数の蛍光灯をそれぞれ取り付けるための複数のソケットを有してもよい。さらに、前記蛍光灯用点灯回路は、複数の蛍光灯を点灯するための前記複数のソケットに共通の蛍光灯用点灯回路を含んでもよい。この場合、前記工事の施工方法において、前記蛍光灯用点灯回路のうち、前記商用電源が接続される電源端子と前記ソケットの４つの端子部の少なくとも２つとの間に接続される部分を、前記ソケット及び前記電源端子から電気的に切り離す工程において、前記複数のソケットに共通の蛍光灯用点灯回路を、前記ソケット及び前記電源端子から電気的に切り離すことができる。これにより、複数のソケットに共通の蛍光灯用点灯回路に対して、切り離し作業をするため、作業効率が高くなる。その結果、工事がより容易になる。
【００１５】
前記ソケットの４つの端子部の少なくとも２つに、商用電源から供給される交流電力が入力される線を接続する場合において、前記ＬＥＤ灯は、前記第１ダイオードブリッジ及び前記第２ダイオーブリッジと、前記ＬＥＤ素子との間に接続される第３ダイオードブリッジをさらに備える構成であってもよい。これにより、例えば、ＬＥＤ灯の一方端の２つの端子のうち１つと、他方端の２つの端子のうち１つに、交流電力の線が接続された場合でも、ＬＥＤ灯を点灯させることができる。そのため、作業者は、ＬＥＤ灯の４つの端子と、交流電力の線との組み合わせを考慮しなくてもよくなる。その結果、工事がより容易になる。
【発明の効果】
【００１６】
本発明によれば、既存の蛍光灯用点灯回路を含む蛍光灯用の照明器具に対して、蛍光灯をＬＥＤ灯に交換するための工事が容易になる。
【図面の簡単な説明】
【００１７】
【図１】実施形態１における蛍光灯用器具の構成を示す図である。
【図２】蛍光灯用器具に対する工事の工程を説明するための図である。
【図３】ＬＥＤ灯の構成例を示す図である。
【図４】ＬＥＤ灯の４つの端子に接続されるＬＥＤ用点灯回路の直流出力のプラス極及びマイナス極のパターンの一例を示す図である。
【図５】電子スタータと安定器を有する点灯回路の例を示す図である。
【図６】蛍光灯用点灯回路としてインバータ回路を用いた蛍光灯用器具の構成例を示す図である。
【図７】図６に示す蛍光灯用器具の工事の工程を説明するための図である。
【図８】実施形態２における蛍光灯用器具の構成を示す図である。
【図９】図８におけるＬＥＤ灯の構成例を示す図である。
【図１０】ＬＥＤ灯の他の構成例を示す図である。
【図１１】ＬＥＤ灯３ａの４つの端子３１〜３４に接続される交流端子のパターンの一例を示す図である。
【発明を実施するための形態】
【００１８】
（実施形態１）
本実施形態は、蛍光灯用器具に対して、蛍光灯の代わりに、ＬＥＤ灯を取り付ける工事の施工方法に関する。図１は、本実施形態における蛍光灯用器具１０の構成を示す図である。蛍光灯用器具１０は、例えば、ショーケース等である。蛍光灯用器具１０は、複数の蛍光灯１Ａ、１Ｂが取り付けられる複数組のソケット２を有する。複数組のソケット２のそれぞれは、４つの端子部２１〜２４を有する。４つの端子部２１〜２４には、蛍光灯１Ａ、１Ｂの４つの端子が取り付けられる。すなわち、蛍光灯用器具１０は、各ソケット２に、蛍光灯が取り付けられることを想定した構成を有する。
【００１９】
ソケット２の４つの端子部２１〜２４のうち２つの端子部２１、２３の間には、グローランプ回路１が接続される。グローランプ回路１は、２つの端子部２１、２３の間に接続されたグローランプと、グローランプに並列に接続されるコンデンサを含む。ソケット２の４つの端子部２１〜２４のうち他の１つの端子部２２と、外部の商用電源８が接続される電源端子７との間には、安定器５が接続される。複数のソケット２の４つの端子部２１〜２４のうちさらに他の１つの端子部２４と、電源端子７との間には、スイッチ６が接続される。
【００２０】
安定器５は、ソケット２と外部の商用電源８との間に接続される蛍光灯用点灯回路の一例である。安定器５は、複数組のソケット２に共通の蛍光灯用点灯回路である。すなわち、安定器５は、複数の蛍光灯１Ａ、１Ｂを点灯させるための蛍光灯用点灯回路である。なお、外部の商用電源８は、例えば、電力業者が電力を供給するための電力系統とすることができる。また、電源端子７には、商用電源８の代わりに自家発電システム等の、商用電源と同じ電圧及び周波数の電力を供給する電源システムが接続されてもよい。
【００２１】
図２は、図１に示す蛍光灯用器具１０に対する工事の工程を説明するための図である。工事は、安定器５を、ソケット２及び電源端子７の双方から電気的に切り離す工程を含む。この工程では、例えば、安定器５と電源端子７との間の配線及び安定器５とソケット２の間の配線が切断される。
【００２２】
また、工事は、ＬＥＤ用点灯回路４を、複数のソケット２に接続する工程を含む。この工程では、例えば、ＬＥＤ用点灯回路４が、電源端子７と複数のソケット２それぞれの２つの端子部２２、２４との間に接続される。ＬＥＤ用点灯回路４は、入力された交流電力を直流に変換して出力する。ＬＥＤ用点灯回路４は、ＡＣ／ＤＣ変換器を含む。このＡＣ／ＤＣ変換器は、例えば、複数のソケット２それぞれの２つの端子部２２、２４に対して、直流電力を供給するよう配置される。このように、ＬＥＤ用点灯回路４は、交流電力を、ＬＥＤ灯を点灯するための直流電力に変換するものである。ＬＥＤ用点灯回路４は、ＡＣ／ＤＣ変換器の他、例えば、整流器、昇圧回路、過電流制限回路等、電力を調整するための回路を含んでもよい。このように、安定器５の切断工程及びＬＥＤ用点灯回路４の接続工程により、安定器５が、ＬＥＤ用点灯回路４に置き換えられる。
【００２３】
なお、ＬＥＤ用点灯回路４が接続されるソケット２の端子部は、上記例に限られない。例えば、ＬＥＤ用点灯回路４は、複数のソケット２それぞれの２つの端子部２１、２２に接続されてもよいし、他の２つの端子部２３、２４に接続されてもよい。
【００２４】
工事は、ＬＥＤ灯３をソケット２に取り付ける工程を含む。ＬＥＤ灯３は、ソケット２の４つの端子部２１〜２４に取り付け可能な４つの端子を有する。また、ＬＥＤ灯３は、第１ダイオードブリッジ、第２ダイオードブリッジ、及びＬＥＤ素子を含む（詳細は、後述）。この構成のＬＥＤ灯３を用いることにより、ＬＥＤ灯３の４つの端子と、ソケット２の４つの端子部２１〜２４との組み合わせの自由度が高くなる。また、ソケット２の４つの端子部２１〜２４のうちどの２つの端子にＬＥＤ用点灯回路４を接続しても、動作できる構成となる。
【００２５】
図３は、ＬＥＤ灯３の構成例を示す図である。ＬＥＤ灯３は、４つの端子３１〜３４を有する。また、ＬＥＤ灯３は、第１ダイオードブリッジ３０ａ、第２ダイオードブリッジ３０ｂ、ＬＥＤ素子３６、及び調光回路３５を有する。第１ダイオードブリッジ３０ａの２つの入力端子Ｐ１、Ｐ３は、４つの端子３１〜３４のうち２つの端子３１、３２に接続される。第２ダイオードブリッジ３０ｂの２つの入力端子Ｐ１、Ｐ３は、４つの端子３１〜３４のうち他の２つの端子３３、３４に接続される。第１ダイオードブリッジ３０ａ及び第２ダイオードブリッジ３０ｂのプラス極性（高電圧側）の出力端子Ｐ２と、第１ダイオードブリッジ３０ａ及び第２ダイオードブリッジ３０ｂのマイナス極性（低電圧側）の出力端子Ｐ４との間に、ＬＥＤ素子３６が接続される。これにより、ＬＥＤ素子３６は、第１ダイオードブリッジ３０ａの出力端子及び第２ダイオードブリッジ３０ｂの出力端子が同一極性になるように接続される。
【００２６】
図３に示す例では、ＬＥＤ素子３６は、複数の発光ダイオードが直列に接続されたＬＥＤ列が、さらに複数並列に接続された構成となっている。ＬＥＤ素子３６の構成は、この例に限られない。
【００２７】
図３に示す例では、第１ダイオードブリッジ３０ａ及び第２ダイオードブリッジ３０ｂと、ＬＥＤ素子３６との間には、調光回路３５が設けられる。調光回路３５は、例えば、ＰＷＭ制御によって、ＬＥＤ素子３６の発光量を調整することができる。なお、調光回路３５は、省略してもよい。
【００２８】
なお、図３に示す例では、第１ダイオードブリッジ３０ａの入力端子Ｐ１、Ｐ３が、ＬＥＤ灯３の一方端の２つの端子３１、３２に接続され、第２ダイオードブリッジ３０ｂの入力端子Ｐ１、Ｐ３が、ＬＥＤ灯３の他方端の２つの端子３３、３４に接続されている。端子の接続関係は、この例に限られない。例えば、第１ダイオードブリッジ３０ａの入力端子Ｐ１、Ｐ３が、ＬＥＤ灯３の一方端の端子３１及び他方端の端子３３に接続され、第２ダイオードブリッジ３０ｂの入力端子Ｐ１、Ｐ３が、ＬＥＤ灯３の一方端の端子３２と、他方端の端子３４に接続されてもよい。
【００２９】
図４は、ＬＥＤ灯３の４つの端子３１〜３４に接続されるＬＥＤ用点灯回路４の直流出力のプラス極及びマイナス極のパターンの一例を示す図である。図４に示すいずれのパターンにおいても、ＬＥＤ用点灯回路４から供給される直流電力によってＬＥＤ灯３を正常に点灯させることができる。
【００３０】
一例として、ＬＥＤ灯の４つの端子３１〜３４のうち任意の２つの端子に、ＬＥＤ用点灯回路４の直流出力のプラス極及びマイナス極をそれぞれ接続することができる。例えば、図４（ａ）及び図４（ｂ）に示すように、ＬＥＤ灯３の一方端の２つの端子３１、３２に、プラス極及びマイナス極をそれぞれ接続してもよい。また、図４（ｃ）及び図４（ｄ）に示すように、ＬＥＤ灯３の一方端の２つの端子３１、３２のいずれかにプラス極を、他方端の２つの端子３３、３４のいずれかにマイナス極を接続してもよい。
【００３１】
また、ＬＥＤ灯の４つの端子３１〜３４のうち任意の３つの端子のそれぞれに、ＬＥＤ用点灯回路４の直流出力のプラス極又はマイナス極を接続してもよい。例えば、図４（ｅ）に示すように、ＬＥＤ灯３の一方端の２つの端子３１、３２のいずれか一方と、他方端の２つの端子３３、３４のいずれか一方にプラス極を接続し、その他の１つの端子にマイナス極を接続してもよい。又は、図４（ｆ）に示すように、一方端の２つの端子３１、３２にプラス極を接続し、他方端の端子３３、３４のいずれか一方にマイナス端子を接続してもよい。また、図４（ｇ）及び図４（ｈ）に示すように、４つの端子３１〜３４の任意の１つにプラス端子を接続し、他の３つの端子のうち任意の２つにマイナス端子を接続することもできる。
【００３２】
また、ＬＥＤ灯の４つの端子３１〜３４の全てに、ＬＥＤ用点灯回路４の直流出力のプラス極又はマイナス極を接続してもよい。例えば、図４（ｉ）に示すように、ＬＥＤ灯３の一方端の２つの端子３１、３２にプラス極及びマイナス極を接続し、他方端の２つの端子３３、３４のプラス極及びマイナス極を接続してもよい。図４（ｊ）に示すように、一方端の２つの端子３１、３２にプラス極を接続し、他方端の２つの端子３３、３４にマイナス端子を接続してもよい。また、４つの端子３１〜３４の任意の１つにプラス端子を接続し、他の３つの端子にマイナス端子を接続することもできる。
【００３３】
上記のＬＥＤ用点灯回路４の直流出力のプラス極とマイナス極をＬＥＤ灯３の端子３１〜３４に接続するパターンのいずれにおいても、直流電流は、ＬＥＤ灯３に流れ、グローランプ回路１には流れない。そのため、グローランプ回路１をソケット２から切り離す必要はない。工事において、グローランプ回路１の配線は切断せず残しておくことができる。
【００３４】
以上のとおり、本実施形態の工事は、ソケット２と電源端子７の間の既存の点灯回路を切り離す工程、ＬＥＤ用点灯回路４をソケット２と電源端子７の間に接続する工程、及び、図３に示すＬＥＤ灯３を蛍光灯１Ａ、１Ｂの代わりソケット２に取り付ける工程を含む。これらの工程を含むことにより、図４に示したように、ＬＥＤ用点灯回路４の直流出力のプラス極とマイナス極の配置と、ＬＥＤ灯３の４つの端子３１〜３４のソケット２の４つの端子部２１〜２４との接続関係の自由度が高くなる。そのため、作業者は、工事の施行において、電源端子７とソケット２との間の蛍光灯用点灯回路の詳細な構成や、ＬＥＤ用点灯回路４の直流出力とソケット２の端子部２１〜２４との関係を考慮しなくてもよい。その結果、工事がより容易になる。
【００３５】
また、上記工事では、グローランプ回路１を切り離す工程が不要になる。グローランプ回路１は、ソケット２の４つの端子部のうち２つの端子の間の点灯回路であって、ソケット２と電源端子７との間に位置しない蛍光灯用点灯回路の一例である。このような蛍光灯用点灯回路の配線は、切断せずに残しておくことができる。このように、蛍光灯用点灯回路を切り離す工程を一部なくすことで、工事がより容易になる。
【００３６】
本発明の対象となる蛍光灯用器具の蛍光灯用点灯回路は、上記例のようなグローランプ回路と安定器を有するものに限られない。図５は、電子スタータと安定器を有する蛍光灯用点灯回路の例を示す図である。図５に示す例では、ソケット２の２つの端子部２１、２３の間に、電子スタータ回路１１が接続される。電子スタータ回路１１は、２つの端子部２１、２３間に接続されたコンデンサ、半導体スイッチ及び制御回路を含む。コンデンサ、半導体スイッチ及び制御回路は、２つの端子部２１、２３間において互いに並列に接続される。
【００３７】
電子スタータ回路１１は、蛍光灯用点灯回路の一部である。具体的には、電子スタータ回路１１は、蛍光灯用点灯回路のうち、ソケット２の４つの端子部２１〜２４のうち２つの間の部分であって、ソケット２と電源端子７との間に位置しない部分である。この部分の配線は、工事において、切断されずに残したままにしておいてもよい。
【００３８】
安定器５の切り離し、及び、ＬＥＤ用点灯回路４の接続は、図２に示した例と同様に行うことができる。また、蛍光灯１Ａ、１Ｂの代わりにソケット２に取り付けられるＬＥＤ灯３の構成は、図３に示した構成と同様にすることができる。
【００３９】
図６は、蛍光灯用点灯回路としてインバータ回路１２を用いた蛍光灯用器具１０ａの構成例を示す図である。インバータ回路１２は、ソケット２の４つの端子部２１〜２４に接続される。インバータ回路１２は、ソケット２つの端子部２１〜２４と電源端子７の間に接続される。すなわち、インバータ回路１２は、商用電源が接続される電源端子とソケット２の４つの端子部の少なくとも２つとの間に接続される蛍光灯用点灯回路の一例である。
【００４０】
図７は、図６に示す蛍光灯用器具１０ａの工事の工程を説明するための図である。工事は、インバータ回路１２を、電源端子７及びソケット２の端子部２１〜２４の双方から切り離す工程を含む。この例では、インバータ回路１２と電源端子７との間の配線、及び、ソケット２の端子部２３、２４とインバータ回路１２との間の配線が切断される。なお、これらに加えて、ソケット２の端子部２１、２２とインバータ回路１２との間の配線が切断されてもよい。
【００４１】
工事は、ソケット２の２つの端子部２３、２４と、電源端子７の間に、ＬＥＤ用点灯回路４を接続する工程を含む。図７の例では、ソケット２の２つの端子部２３、２４にＬＥＤ用点灯回路４の直流出力のプラス極及びマイナス極が接続される。ＬＥＤ用点灯回路４の交流入力端子は、電源端子７に接続される。ＬＥＤ用点灯回路４の直流出力のプラス極とマイナス極が接続されるソケットの端子部は、図７に示す例に限られない。例えば、図４に例示したパターンを含む、様々なパターンの接続が可能である。
【００４２】
また、図６に示す構成において、インバータ回路１２の代わりにラピッドスタート回路を設けることもできる。この場合、ラピッドスタート回路が、商用電源に接続される電源端子とソケット２の４つの端子部の少なくとも２つとの間に接続される蛍光灯用点灯回路の一例となる。工事は、図７と同様に行うことができる。すなわち、ラピッドスタート回路は、工事において、電源端子７及びソケット２の端子部２１〜２４の双方から切り離される。ＬＥＤ用点灯回路４は、ソケット２の２つの端子部２３、２４と、電源端子７の間に接続される。蛍光灯１Ａの代わりに、ＬＥＤ灯３がソケット２に取り付けられる。
【００４３】
図６及び図７に示す蛍光灯用器具１０ａは、１つの蛍光灯１Ａを取り付けるための１組のソケット２を備える構成である。蛍光灯用器具１０ａは、複数の蛍光灯を取り付けるための複数組のソケットを備えてもよい。この場合、インバータ回路１２は、複数組のソケットに接続されてもよい。すなわち、インバータ回路１２は、複数の蛍光灯を点灯させるための共通の蛍光灯用点灯回路とすることができる。インバータ回路に代えてラピッドスタート回路を有する蛍光灯用器具も、複数の蛍光灯が取り付けられる複数組のソケットを備えることができる。この場合、ラピッドスタート回路は、複数の蛍光灯を点灯させるための共通の蛍光灯用点灯回路とすることができる。なお、図１に示す構成では、安定器５が、複数の蛍光灯を点灯させるための共通の蛍光灯用点灯回路となる。
【００４４】
このように、本実施形態は、複数の蛍光灯がそれぞれ取り付けられる複数組のソケットを有する蛍光灯用器具の工事に適用することができる。この場合、複数組のソケットと電源端子との間に蛍光灯用点灯回路が接続される。この蛍光灯用点灯回路は、複数の蛍光灯を点灯させるための共通の蛍光灯用点灯回路とすることができる。工事は、この共通の蛍光灯用点灯回路を、電源端子及びソケットの双方から電気的に切り離す工程と、複数組のソケットに１つのＬＥＤ用点灯回路を接続する工程とを含むことができる。このＬＥＤ用点灯回路は、複数組のソケットに対して直流電力を供給する。すなわち、ＬＥＤ用点灯回路は、複数組のソケットに共通のＡＣ／ＤＣ変換器である。このように、複数組のソケットに対する蛍光灯用点灯回路の切り離し工程と、複数組のソケットに対する１つのＬＥＤ用点灯回路の接続工程を含むことにより、工事をより容易にすることができる。
【００４５】
さらに、複数の蛍光灯のそれぞれに個別に設けられた蛍光灯用点灯回路の配線は、切断せずに残しておくことができる。上記例では、グローランプ回路１、及び電子スタータ回路１１は、複数の蛍光灯のそれぞれに個別に設けられた蛍光灯用点灯回路の一例である。上述した本実施形態の工事によれば、このような蛍光灯毎に設けられた個別の蛍光灯用点灯回路は、そのまま残しておいても、ＬＥＤ灯３を正常に点灯させることができる。
【００４６】
（実施形態２）
図８は、本実施形態における工事を説明するための図である。図８に示す例は、図１に示す蛍光灯用器具１０に対する工事の例である。工事は、安定器５を、ソケット２及び電源端子７の双方から電気的に切り離す工程を含む。この工程では、例えば、安定器５と電源端子７との間の配線及び安定器５とソケット２の間の配線が切断される。
【００４７】
また、工事は、ソケット２の４つの端子部２１〜２４の少なくとも２つに、外部の商用電源８から供給される交流電力が入力される線を接続する工程を含む。図８に示す例では、切断された安定器５をバイパスする線路９が設けられる。すなわち、安定器５が線路９に置き換えられる。これにより、電源端子７と複数のソケット２それぞれの２つの端子部２２、２４との間が導電線で接続される。
【００４８】
外部の商用電源８が入力される電源端子７は、接地側のＮ（Ｎｅｕｔｒａｌ）端子と、非接地側のＬ（Ｌｉｖｅ）端子が含まれる。図８の例では、ソケット２の１つの端子部２２にＮ端子が接続され、ソケット２の他の１つの端子部２４にＬ端子が接続される。なお、後述するように、ソケット２の４つの端子部２１〜２４の任意の２つにＮ端子とＬ端子を接続してもよい。
【００４９】
工事は、ＬＥＤ灯３ａをソケット２に取り付ける工程を含む。ＬＥＤ灯３ａは、ソケット２の４つの端子部２１〜２４に取り付け可能な４つの端子を有する。また、ＬＥＤ灯３ａは、第１ダイオードブリッジ、第２ダイオードブリッジ、第３ダイオードリッジ、及びＬＥＤ素子を含む（詳細は、後述）。この構成のＬＥＤ灯３ａを用いることにより、ＬＥＤ灯３ａの４つの端子と、ソケット２の４つの端子部２１〜２４との組み合わせの自由度が高くなる。また、ソケット２の４つの端子部２１〜２４のうちどの２つの端子に交流電力のＬ端子及びＮ端子を接続しても、動作できる構成となる。
【００５０】
図９は、図８におけるＬＥＤ灯３ａの構成例を示す図である。ＬＥＤ灯３ａは、４つの端子３１〜３４を有する。また、ＬＥＤ灯３ａは、ＬＥＤモジュール４１と、ＬＥＤ用点灯回路４２を含む。ＬＥＤ用点灯回路４２は、第１ダイオードブリッジ３０ｃ、第２ダイオードブリッジ３０ｄ、及び、第３ダイオードブリッジ３ｅを含む。ＬＥＤモジュール４１は、ＬＥＤ素子３６及び調光回路３５を含む。
【００５１】
第１ダイオードブリッジ３０ｃの２つの入力端子Ｐ１、Ｐ３は、ＬＥＤ灯３ａの４つの端子３１〜３４のうち２つの端子３１、３２に接続される。第２ダイオードブリッジ３０ｄの２つの入力端子Ｐ１、Ｐ３は、ＬＥＤ灯３ａの４つの端子３１〜３４のうち他の２つの端子３３、３４に接続される。第１ダイオードブリッジ３０ｃ及び第２ダイオードブリッジ３０ｄのプラス極性（高電圧側）の出力端子Ｐ２と、第１ダイオードブリッジ３０ｃ及び第２ダイオードブリッジ３０ｄのマイナス極性（低電圧側）の出力端子Ｐ４との間に、第３ダイオードブリッジ３ｅが接続される。すなわち、第３ダイオードブリッジ３ｅの１つの入力端子Ｐ１は、第１ダイオードブリッジ３ｃ及び第２ダイオードブリッジ３ｄのプラスの出力端子に接続される。第３ダイオードブリッジ３ｅの他の入力端子Ｐ３は、第１ダイオードブリッジ３ｃ及び第２ダイオードブリッジ３ｄのマイナスの出力端子に接続される。第３ダイオードブリッジ３ｅのプラスの出力端子は、ＬＥＤ用点灯回路４２のプラス端子台４２１に接続される。第３ダイオードブリッジ３ｅのマイナスの出力端子は、ＬＥＤ用点灯回路４２のマイナス端子台４２２に接続される。
【００５２】
ＬＥＤ用点灯回路４２のプラス端子台４２１は、ＬＥＤモジュール４１のプラス端子４１１に接続される。ＬＥＤ用点灯回路４２のマイナス端子台４２２は、ＬＥＤモジュール４１のマイナス端子４１２に接続される。ＬＥＤ素子３６は、プラス端子４１１とマイナス端子４１２の間に接続される。図９に示す例では、プラス端子４１１とマイナス端子４１２の間において、直列に接続された複数の発光ダイオードが、さらに複数列、並列に接続された構成となっている。また、プラス端子４１１及びマイナス端子４１２と、ＬＥＤ素子３６との間には、調光回路３５が設けられる。なお、調光回路３５は、省略してもよい。
【００５３】
図９に示す例において、ＬＥＤ用点灯回路４２は、端子３１〜３４の少なくとも２つから入力された交流電力を、直流電力に変換してＬＥＤモジュール４１に供給する。ＬＥＤ用点灯回路４２は、ＡＣ／ＤＣ変換器を内蔵する電源回路と言うこともできる。ＬＥＤ用点灯回路４２の構成は、図９に示す例に限られない。例えば、ＬＥＤ用点灯回路４２は、整流器、昇圧回路、過電流制限回路等、電力を調整するための回路を含んでもよい。具体的には、第１ダイオードブリッジ３０ｃと端子３１、３２の間、第２ダイオードブリッジ３０ｄと端子３３、３４の間、第１ダイオードブリッジ３０ｃ又は第２ダイオードブリッジ３ｄと、第３ダイオードブリッジ３ｅの間、第３ダイオードブリッジ３ｅと端子台４２１、４２２との間のうち少なくとも１つに、他の回路が接続されてもよい。
【００５４】
一例として、図１０に示すように、ＬＥＤ用点灯回路４２は、第１点灯回路４３ｃ、第２点灯回路４３ｄ、及び、第３ダイオードブリッジ３０ｅを備えてもよい。第１点灯回路４３ｃは、第１ダイオードブリッジ３０ｃ及び第１ＡＣ／ＤＣ変換器４４ｃを含む。第２点灯回路４３ｄは、第２ダイオードブリッジ３０ｄ及び第２ＡＣ／ＤＣ変換器４４ｄを含む。第１点灯回路４３ｃ及び第２点灯回路４３ｄのプラス極の出力端子は、第３ダイオードブリッジの１つの入力端子Ｐ１に接続される。第１点灯回路４３ｃ及び第２点灯回路４３ｄのマイナス極の出力端子は、第３ダイオードブリッジの他の入力端子Ｐ３に接続される。
【００５５】
なお、端子３１〜３４と第１及び第２ダイオードブリッジ３０ｃ、３０ｄの接続関係は、図９の例に限られない。例えば、第１ダイオードブリッジ３０ｃの入力端子Ｐ１、Ｐ３が、ＬＥＤ灯３ａの一方端の端子３１及び他方端の端子３３に接続され、第２ダイオードブリッジ３０ｄの入力端子Ｐ１、Ｐ３が、ＬＥＤ灯３の一方端の端子３２と、他方端の端子３４に接続されてもよい。
【００５６】
また、図９に示す例では、ＬＥＤモジュール４１と、ＬＥＤ用点灯回路４２が、それぞれ、異なる基板に実装される。これに対して、ＬＥＤモジュール４１と、ＬＥＤ用点灯回路４２を同じ基板上に実装してもよい。
【００５７】
図１１は、ＬＥＤ灯３ａの４つの端子３１〜３４に接続される交流端子のパターンの一例を示す図である。図１１に示すいずれのパターンにおいても、供給される交流電力によってＬＥＤ灯３ａを正常に点灯させることができる。
【００５８】
一例として、ＬＥＤ灯３ａの４つの端子３１〜３４のうち任意の２つの端子に、交流出力の非接地側のＬ端子及び接地型のＮ端子をそれぞれ接続することができる。例えば、図１１（ａ）及び図１１（ｂ）に示すように、ＬＥＤ灯３ａの一方端の２つの端子３１、３２に、Ｌ端子及びＮ端子をそれぞれ接続してもよい。また、図１１（ｃ）及び図１１（ｄ）に示すように、ＬＥＤ灯３ａの一方端の２つの端子３１、３２のいずれかにＮ端子を、他方端の２つの端子３３、３４のいずれかにＬ端子を接続してもよい。
【００５９】
また、ＬＥＤ灯の４つの端子３１〜３４のうち任意の３つの端子のそれぞれに、交流出力のＬ端子又はＮ端子を接続してもよい。例えば、図１１（ｅ）に示すように、ＬＥＤ灯３ａの一方端の２つの端子３１、３２のいずれか一方と、他方端の２つの端子３３、３４のいずれか一方にＬ端子を接続し、その他の１つの端子にＮ端子を接続してもよい。又は、図１１（ｆ）に示すように、一方端の２つの端子３１、３２にＬ端子を接続し、他方端の端子３３、３４のいずれか一方にＮ端子を接続してもよい。また、図１１（ｇ）及び図１１（ｈ）に示すように、４つの端子３１〜３４の任意の１つにＬ端子を接続し、他の３つの端子のうち任意の２つにＮ端子を接続することもできる。
【００６０】
また、ＬＥＤ灯の４つの端子３１〜３４の全てに、交流出力のＬ端子又はＮ端子を接続してもよい。例えば、図１１（ｉ）に示すように、ＬＥＤ灯３ａの一方端の２つの端子３１、３２にＬ端子及びＮ端子を接続し、他方端の２つの端子３３、３４のＬ端子及びＮ端子を接続してもよい。図１１（ｊ）に示すように、一方端の２つの端子３１、３２にＬ端子を接続し、他方端の２つの端子３３、３４にＮ端子を接続してもよい。また、４つの端子３１〜３４の任意の１つにＬ端子を接続し、他の３つの端子にＮ端子を接続することもできる。
【００６１】
上記の交流出力のＬ端子とＮ端子をＬＥＤ灯３ａの端子３１〜３４に接続するパターンのいずれにおいても、交流電流は、ＬＥＤ灯３ａに流れ、グローランプ回路１には流れない。そのため、グローランプ回路１をソケット２から切り離す必要はない。工事において、グローランプ回路１の配線は切断せず残しておくことができる。
【００６２】
以上のとおり、本実施形態の工事は、ソケット２と電源端子７の間の既存の蛍光灯用点灯回路を切り離す工程、外部から供給される交流電力の線をソケット２に接続する工程、及び、図９に示すＬＥＤ灯３ａを蛍光灯１Ａ、１Ｂの代わりにソケット２に取り付ける工程を含む。これらの工程を含むことにより、図１１に示したように、交流出力のＬ端子とＮ端子の配置と、ＬＥＤ灯３ａの４つの端子３１〜３４のソケット２の４つの端子部２１〜２４との接続関係の自由度が高くなる。そのため、作業者は、工事の施行において、電源端子７とソケット２との間の蛍光灯用点灯回路の詳細な構成や、交流電力の線とソケット２の端子部２１〜２４との関係を考慮しなくてもよい。その結果、工事がより容易になる。
【００６３】
なお、本実施形態において、図９及び図１０に示すＬＥＤ用点灯回路４２において、第３ダイオードブリッジ３０ｅを省略してもよい。この場合でも、交流電力の端子と、ＬＥＤ灯３ａの端子３３〜３４との接続関係の自由度をある程度、確保することができる。
【００６４】
本実施形態も、実施形態１と同様に、対象となる蛍光灯用器具の蛍光灯用点灯回路は、グローランプ回路と安定器を有するものに限られない。例えば、電子スタータと安定器を有する蛍光灯用点灯回路、インバータ回路、又は、ラピッドスタート回路、その他の蛍光灯用点灯回路を有する蛍光灯用器具に、本実施形態を適用することができる。
【００６５】
本発明は、上記の実施形態に限られない。例えば、蛍光灯及びＬＥＤ灯の形状は、上記の直管の他、円管、又はＵ字管その他の形状とすることができる。蛍光灯及びＬＥＤ灯が直管、又はＵ字管の場合は、１つの蛍光灯又はＬＥＤ灯は、両端に端子が配置される。そのため、１つの蛍光灯又はＬＥＤ灯を取り付けるためのソケットは、両端の端子にそれぞれ対応する２体で１組となる。これに対して、１つの円管の蛍光灯又はＬＥＤ灯を取り付けるためのソケットは、１体で構成することができる。
【００６６】
本発明に適用可能な蛍光灯用器具の蛍光灯用点灯回路としては、例えば、上記したように、グローランプ、電子スタータ回路、インバータ回路、又は、ラピッドスタート回路等が挙げられる。また、電源端子とソケットの間の蛍光灯用点灯回路の切り離し工程、ＬＥＤ用点灯回路のソケットへの接続工程、ＬＥＤ灯の取り付け工程の順番は、上記例に限定されない。
【符号の説明】
【００６７】
１  グローランプ回路
２  ソケット
３  ＬＥＤ灯
４  ＡＣ／ＤＣ変換器
５  安定器
７  電源端子
８  商用電源
２１〜２４  ソケットの端子部
３０ａ、３０ｂ  ダイオードブリッジ
３１〜３４  ＬＥＤ灯の端子
３６  ＬＥＤ素子
【図１】
2019145430.tif 000003
【図２】
2019145430.tif 000004
【図３】
2019145430.tif 000005
【図４】
2019145430.tif 000006
【図５】
2019145430.tif 000007
【図６】
2019145430.tif 000008
【図７】
2019145430.tif 000009
【図８】
2019145430.tif 000010
【図９】
2019145430.tif 000011
【図１０】
2019145430.tif 000012
【図１１】
2019145430.tif 000013